(57)【要約】イメージングプレートの走査と消去を組み合わせたシステムは、ハウジング（１１）と、該ハウジング内に配置されたイメージングプレートカセット（２０）供給アセンブリとを有する。イメージングプレートカセット供給アセンブリはイメージングプレートカセットをハウジングに引き込む機構と、イメージングプレートカセットを開放する機構と、イメージングプレートカセットをハウジングから取り出す機構とを有する。イメージングプレート走査および消去システムは、また、ハウジングに配置されたスキャナと、イメージングプレート供給アセンブリとスキャナとの間に配置された湾曲した径路の消去アセンブリ（５０）と、イメージングプレートカセットから消去アセンブリを経てスキャナに隣接する走査領域を通過する径路においてイメージングプレートを前後に移動させるイメージングプレート搬送アセンブリとを有している。
2004501392.tif 000002
【特許請求の範囲】
【請求項１】
イメージングプレートの走査と消去を組み合わせたシステムにおいて、
（ａ）ハウジングと
（ｂ）該ハウジングに配置され、
（ｉ）イメージングプレートカセットを前記ハウジングに引き込む機構と、
（ｉｉ）前記イメージングプレートカセットを開放する機構と、
（ｉｉｉ）イメージングプレートを前記イメージングプレートカセットから取り出す機構とからなる、
イメージングプレートカセット供給アセンブリと、
（ｃ）前記ハウジング内に配置されたスキャナと、
（ｄ）前記イメージングプレートカセット供給アセンブリと前記スキャナとの間に配置された湾曲した径路の消去アセンブリと、
（ｅ）前記イメージングプレートカセットから前記消去アセンブリを経て前記スキャナに隣接する走査領域を通過する径路において前記イメージングプレートを前後に移動させるイメージングプレート搬送アセンブリと、
からなるシステム。
【請求項２】
前記イメージングプレートカセット供給アセンブリは前記ハウジングの上部に配置され、
前記スキャナは前記ハウジングの下部に配置されている請求項１に記載のシステム。
【請求項３】
前記イメージングプレートカセット供給アセンブリは前記ハウジングの下部に配置され、
前記スキャナは前記ハウジングの上部に配置されている請求項１に記載のシステム。
【請求項４】
前記イメージングプレートカセット供給アセンブリは前記スキャナに並行して配置されている請求項１に記載のシステム。
【請求項５】
前記イメージングプレートカセット供給アセンブリは、前記カセットが開放されたとき前記イメージングプレートカセットと前記スキャナが上下に配置されるように、前記イメージングカセットを位置決めする請求項１に記載のシステム。
【請求項６】
前記イメージングプレートカセット供給アセンブリは、前記イメージングプレートが前記スキャナによって走査されるときに前記イメージングプレートが移動する方向に平行な径路において前記イメージングカセットを前後に移動させる請求項１に記載のシステム。
【請求項７】
前記イメージングプレートカセットから延びる径路に沿ってイメージングプレートが移動する際に、当該イメージングプレートはひっくり返される請求項１に記載のシステム。
【請求項８】
前記スキャナおよび消去アセンブリは、前記イメージングプレートのある部分が消去され、他の部分が走査されるように、互いに十分近接して配置される請求項１に記載のシステム。
【請求項９】
前記イメージングプレートカセットを前記ハウジングに引き込む機構は、
前記イメージングプレートカセットを保持するシャトルと、
該シャトルを前記ハウジング内で前後に移動させるシャトル位置決めアセンブリとからなる請求項１に記載のシステム。
【請求項１０】
前記シャトル位置決めアセンブリは、前記カセット全体が前記ハウジングに引き込まれるように十分な距離だけ前記シャトルを移動させる請求項９に記載のシステム。
【請求項１１】
前記シャトルは、前記イメージングプレートカセットを芯出しする調整ガイドを有する請求項９に記載のシステム。
【請求項１２】
前記調整ガイドは高架止め部を有する請求項１１に記載のシステム。
【請求項１３】
前記イメージングプレートカセットをさらに有し、該イメージングプレートカセットは前記高架止め部と一致する寸法のスロットを有する請求項１２に記載のシステム。
【請求項１４】
前記高架止め部は、前記カセットの前記スロットのラッチを解除し、これにより前記カセットをアンロックし、前記カセットを開放させる請求項１３に記載のシステム。
【請求項１５】
前記シャトルは、前記カセットをそこに確実に保持する少なくとも１つの戻止め機構を有する請求項９に記載のシステム。
【請求項１６】
前記少なくとも１つの戻止め機構は、一対の落ち込み可能なスプリングローラからなる請求項１５に記載のシステム。
【請求項１７】
前記イメージングプレートカセットをさらに有し、該イメージングプレートカセットはその上に前記戻止め機構と一致する寸法の少なくとも１つの凹部を有する請求項１５に記載のシステム。
【請求項１８】
前記シャトルは、前記カセットが前記シャトルにスライド可能に位置決めされたときに基準位置を超える前記カセットの運動を防止する請求項９に記載のシステム。
【請求項１９】
前記構造は逆転防止部を有する請求項１８に記載のシステム。
【請求項２０】
前記イメージングプレートカセットを開放する機構は、前記カセットのカバーに係合し、前記シャトルが前記カセットを前記ハウジング内の最終位置に移動させる際に当該カバーを引き開ける寸法の爪からなる請求項９に記載のシステム。
【請求項２１】
前記爪は、前記カセットを開放する間、前記カセットのカバーに一定の把持力を維持するように付勢されている請求項２０に記載のシステム。
【請求項２２】
前記爪は、前記カセットを開放する間、トラックに沿って移動する請求項２０に記載のシステム。
【請求項２３】
前記カバーは前記カセットの上カバーである請求項２０に記載のシステム。
【請求項２４】
前記カバーは前記カセットの底カバーである請求項２０に記載のシステム。
【請求項２５】
前記イメージングプレートを前記イメージングプレートカセットから取り出す機構は、前記イメージングプレートに対して位置決め可能な摩擦把持ローラからなる請求項１に記載のシステム。
【請求項２６】
前記湾曲した径路の消去アセンブリは、
湾曲窓と、
該湾曲窓を貫通して消去光を導くように前記湾曲窓に隣接して配置された少なくとも１つの消去光源と、
からなる請求項１に記載のシステム。
【請求項２７】
前記少なくとも１つの消去光源の回りに配置された高反射受け面を有し、これにより、当該少なくとも１つの消去光源は前記湾曲窓と前記高反射受け面との間に配置されている請求項２６に記載のシステム。
【請求項２８】
前記少なくとも１つの消去光源と対向する前記窓の側に配置された高反射受け面を有し、これにより、前記イメージングプレートが前記窓により露出される領域の一部を占有するとき、前記窓により露出される残りの領域は前記高反射受け面のある部分を露出する請求項２６に記載のシステム。
【請求項２９】
前記少なくとも１つの消去光源は複数のＬＥＤからなる請求項２６に記載のシステム。
【請求項３０】
前記ＬＥＤは白色ＬＥＤである請求項２９に記載のシステム。
【請求項３１】
前記複数のＬＥＤは前記湾曲窓の回りに一定間隔で配置された複数のＬＥＤアレイからなる請求項２９に記載のシステム。
【請求項３２】
前記ＬＥＤアレイの各々は、前記イメージングプレートカセットから前記消去アセンブリを経て前記スキャナを横切って延びる径路に直角に配置された幅狭の細長いアレイからなる請求項３１に記載のシステム。
【請求項３３】
前記複数のＬＥＤは前記湾曲した径路の消去アセンブリの形状に一致する可撓性回路基板に実装されている請求項２９に記載のシステム。
【請求項３４】
前記ＬＥＤの少なくとも幾つかの間に配置された湾曲窓の領域は高反射材料で被覆されている請求項３０に記載のシステム。
【請求項３５】
前記高反射材料は、ミラー、白色ペイント、白色シルクスクリーン、白色プラスチックおよびアルミニウム処理プラスチックからなる群から選ばれる請求項３４に記載のシステム。
【請求項３６】
前記少なくとも１つの光源は少なくとも１つの蛍光管からなる請求項２７に記載のシステム。
【請求項３７】
前記少なくとも１つの蛍光管は熱陰極または冷陰極蛍光管からなる請求項３６に記載のシステム。
【請求項３８】
前記少なくとも１つの蛍光管は前記湾曲窓の周囲に一定間隔で配置された複数の蛍光管からなる請求項３６に記載のシステム。
【請求項３９】
前記少なくとも１つの蛍光管は前記湾曲窓の長手方向に沿って一定間隔で配置された複数の蛍光管からなる請求項３６に記載のシステム。
【請求項４０】
前記高反射面は、ミラー、白色ペイント、白色シルクスクリーン、白色プラスチックおよびアルミニウム処理プラスチックからなる群から選ばれた高反射材料で被覆された表面からなる請求項３６に記載のシステム。
【請求項４１】
前記少なくとも１つの蛍光管に隣接して配置された少なくとも１つの加熱要素をさらに有する請求項３６に記載のシステム。
【請求項４２】
前記少なくとも１つの蛍光管に隣接して配置された断熱材をさらに有する請求項３６に記載のシステム。
【請求項４３】
前記湾曲窓は低摩擦材料で形成されている請求項２６に記載のシステム。
【請求項４４】
前記低摩擦材料は、アクリル樹脂、ポリカーオネート、またはガラスからなる群から選ばれる請求項４３に記載のシステム。
【請求項４５】
イメージングプレートが通過するのに十分な距離で前記湾曲窓から一定間隔離れて配置された湾曲部材をさらに有する請求項２６に記載のシステム。
【請求項４６】
前記湾曲部材は低摩擦材料で形成されている請求項４５に記載のシステム。
【請求項４７】
前記低摩擦材料は、アクリル樹脂、ポリカーボネート、ガラス、亜鉛被覆鋼鈑、テフロン含浸無電解ニッケルからなる群から選ばれる請求項４６に記載のシステム。
【請求項４８】
前記湾曲窓は、前記湾曲部材の回りを包囲している請求項４５に記載のシステム。
【請求項４９】
前記湾曲部材は、前記湾曲窓の回りを包囲している請求項４５に記載のシステム。
【請求項５０】
前記湾曲部材と前記湾曲窓は離隔するように移動させることができ、これにより詰まりの解消を促進する請求項４５に記載のシステム。
【請求項５１】
前記湾曲部材と前記湾曲窓は前記システムの異なる要素に取り付けられている請求項５０に記載のシステム。
【請求項５２】
前記少なくとも１つの消去光源は、ガス充填ランプ、Ｎａランプ、Ｎｅランプ、金属ハロゲンランプおよびＸｅランプからなる群から選ばれる光源からなる請求項２６に記載のシステム。
【請求項５３】
前記少なくとも１つの消去光源は、白色光源からなる請求項２６に記載のシステム。
【請求項５４】
前記湾曲した径路の消去アセンブリは、
透光性ドラムと、
該ドラム内に配置された少なくとも１つの消去光源と、
前記ドラムから一定間隔離れ、前記ドラムの回りに少なくとも部分的に包囲された湾曲部材と、
からなる請求項１に記載のシステム。
【請求項５５】
前記透光性ドラムは回転ドラムである請求項５４に記載のシステム。
【請求項５６】
湾曲した径路の消去アセンブリであって、
湾曲窓と、
該湾曲窓に隣接して配置され、該湾曲窓を通過するように消去光を導く少なくとも１つの消去光源と、
からなる消去アセンブリ。
【請求項５７】
さらに、
前記少なくとも１つの消去光源の回りに配置された高反射面を有し、これにより、前記少なくとも１つの消去光源は前記湾曲窓と前記高反射面との間に配置されている請求項５６に記載のアセンブリ。
【請求項５８】
前記スキャナはマルチヘッド回転スキャナからなる請求項１に記載のシステム。
【請求項５９】
前記マルチヘッド回転スキャナは３つの走査ヘッドを有する請求項５８に記載のシステム。
【請求項６０】
前記スキャナは、可動走査ヘッドを有し、該可動走査ヘッドは、前記スキャナを覆う基準プレートを有し、該基準プレートはそれを貫通するスロットを有し、ここで前記可動走査ヘッドからの光は前記スロットを通過し、これにより前記イメージングプレートが前記基準プレートを横切って通過する際に前記イメージングプレートに記憶された画像を読み取る請求項１または５８に記載のシステム。
【請求項６１】
前記基準プレートは低摩擦材料で形成されている請求項６０に記載のシステム。
【請求項６２】
前記低摩擦材料は、アクリル樹脂、ガラス、または被覆アルミニウムからなる群から選ばれる請求項６１に記載のシステム。
【請求項６３】
前記イメージングプレート搬送アセンブリは、前記イメージングプレートを前記基準プレートの表面を横切ってスライドさせる摩擦ベルトローラアセンブリからなる請求項６０に記載のシステム。
【請求項６４】
前記基準プレートの表面に対して前記摩擦ベルトを付勢する加圧プレートを有する請求項６３に記載のシステム。
【請求項６５】
前記摩擦ベルトローラアセンブリは、
一対のローラと、
該一対のローラの回りに掛けられた摩擦ベルトと、
からなる請求項６４に記載のシステム。
【請求項６６】
前記加圧プレートは前記一対のローラの間に配置された前記摩擦ベルトの一部を付勢する請求項６５に記載のシステム。
【請求項６７】
前記イメージングプレート搬送システムは、前記イメージングプレートを前記消去アセンブリを通って移動させるように配置された一対の摩擦掴持ローラからなる請求項１に記載のシステム。
【請求項６８】
前記イメージングプレートを前記走査領域を通って移動させる摩擦ベルトローラアセンブリをさらに有する請求項６７に記載のシステム。
【請求項６９】
前記摩擦ベルトローラアセンブリは、前記イメージングプレートを前記スキャナを覆う基準プレートを横切って移動させるように配置されている請求項６７に記載のシステム。
【請求項７０】
前記イメージングプレート搬送システムは、前記イメージングプレートを前記消去アセンブリを通りかつ前記走査領域を通るように移動させる、一対のローラに掛けられた連続摩擦ベルトからなる請求項１に記載のシステム。
【請求項７１】
さらに、前記スキャナの先端側に配置されたイメージングプレート排出領域を有する請求項１に記載のシステム。
【請求項７２】
前記排出領域は湾曲している請求項７１に記載のシステム。
【請求項７３】
前記イメージングプレートカセットから前記消去アセンブリを経て前記スキャナに隣接する走査領域は、前記排出領域に延びている請求項７１に記載のシステム。
【請求項７４】
前記排出領域の長さは前記スキャナの長さ以下である請求項７１に記載のシステム。
【請求項７５】
前記イメージングプレートカセットをさらに有する請求項１に記載のシステム。
【請求項７６】
前記イメージングプレートカセットは、接地された導電性プラスチック部材を覆う内部導電性繊維層を有する請求項７５に記載のシステム。
【請求項７７】
前記導電性プラスチック部材は、前記イメージングプレートの走査と消去を組み合わせたシステムの前記ハウジング上の外部接点に設置されている請求項７５に記載のシステム。
【請求項７８】
前記イメージングプレートカセットはさらに電子回路を有し、ここで前記導電性プラスチック部材は前記電子回路に設置され、該電子回路は前記イメージングプレートの走査と消去を組み合わせたシステムの前記ハウジングに接地されている請求項７５に記載のシステム。
【請求項７９】
前記イメージングプレートカセットは、釣り合い駆動部材を備えたラッチ機構をさらに有し、これにより前記ラッチ機構が突然の衝撃により解除される傾向を減少する請求項７５に記載のシステム。
【請求項８０】
イメージングプレートの走査と消去を組み合わせたシステムを用いてイメージングプレートを走査し消去する方法において、
（ａ）前記イメージングプレートの走査と消去を組み合わせたシステムに前記イメージングプレートが保管されたイメージングプレートカセットを挿入し、
（ｂ）前記イメージングプレートの走査と消去を組み合わせたシステムに前記イメージングプレートカセットを押し込み、
（ｃ）前記イメージングプレートカセットを開放し、
（ｄ）前記イメージングプレートカセットから前記イメージングプレートを取り出し、
（ｅ）湾曲した消去アセンブリを経てスキャナに隣接する走査領域を通って延びる径路に、前記イメージングプレートを移動させ、
（ｆ）前記スキャナで前記イメージングプレート上の画像を走査し、
（ｇ）前記イメージングプレートを、前記走査領域を経て前記消去アセンブリを通って戻るように移動させ、
（ｈ）前記消去アセンブリで前記イメージングプレートを消去し、
（ｉ）前記イメージングプレートを前記イメージングプレートカセットに戻し、
（ｊ）前記イメージングプレートカセットを閉鎖し、
（ｋ）前記イメージングプレートの走査と消去を組み合わせたシステムから前記イメージングプレートカセットを押し出す、
ステップからなる方法。
【請求項８１】
前記イメージングプレート上の画像を走査する前に、前記スキャナの先端側に配置された排出領域に、前記イメージングプレートの少なくとも先端部を移動させるステップをさらに有する請求項８０に記載の方法。
【請求項８２】
前記イメージングプレートを前記スキャナの先端側に配置された排出領域に移動させた後、前記イメージングプレートは方向を逆にする請求項８１に記載の方法。
【請求項８３】
前記イメージングプレート上の画像を走査した後に、前記スキャナの先端側に配置された排出領域に、前記イメージングプレートの少なくとも先端部を移動させるステップをさらに有する請求項８０に記載の方法。
【請求項８４】
前記イメージングプレートを前記スキャナの先端側に配置された排出領域に移動させた後、前記イメージングプレートは方向を逆にする請求項８３に記載の方法。
【請求項８５】
前記イメージングプレートの走査と消去を組み合わせたシステムに前記イメージングプレートカセットを押し込むステップは、
前記イメージングプレートを可動シャトル上に保持し、
該シャトルを移動させて、前記イメージングプレートの走査と消去を組み合わせたシステムに前記イメージングプレートカセットを押し込む、
ステップからなる請求項８０に記載の方法。
【請求項８６】
前記シャトルは、前記イメージングプレートの走査と消去を組み合わせたシステムに前記イメージングプレートカセットを押し込むのに十分な距離だけ移動させる請求項８５に記載の方法。
【請求項８７】
前記カセットが開放されたときに前記イメージングプレートカセットと前記スキャナが上下に配置されるように、イメージングプレートカセットを配置する請求項８５に記載の方法。
【請求項８８】
前記イメージングプレートを可動シャトル上に保持するステップは、前記可動シャトル上の調整ガイドを前記イメージングプレートカセット上のスロットと一致させることからなる請求項８５に記載の方法。
【請求項８９】
前記イメージングプレートカセットは、前記シャトルが前記ハウジング内の最終位置に移動する際に、可動爪が前記カセットのカバーに係合し該カバーを引っ張って開放するのに十分な距離だけ、前記シャトルを移動させることにより、開放する請求項８０に記載の方法。
【請求項９０】
前記イメージングプレートは、
摩擦掴持ローラを用いて前記イメージングプレートカセットから前記イメージングプレートを引き出す、
ステップにより、前記イメージングプレートカセットから取り出す請求項８０に記載の方法。
【請求項９１】
前記イメージングプレート上の画像を消去するステップは、前記イメージングプレートを前記湾曲窓に沿って移動させるステップからなり、ここで少なくとも１つの消去光源は消去光が前記湾曲窓を通って前記イメージングプレートに導くように配置されている請求項８０に記載の方法。
【請求項９２】
前記少なくとも１つの光源は複数のＬＥＤからなる請求項９１に記載の方法。
【請求項９３】
前記少なくとも１つの光源は少なくとも１つの蛍光管からなる請求項９１に記載の方法。
【請求項９４】
前記少なくとも１つの光源は、複数の平行な蛍光管からなり、これらは蛍光管の径の少なくとも１．２倍だけ離れて配置され、これにより蛍光管の裏側からの光が前記イメージングプレートに達する請求項９３に記載の方法。
【請求項９５】
前記少なくとも１つの蛍光管からの光は、前記湾曲窓を通り、前記湾曲窓に対向して配置された前記少なくとも１つの蛍光管の回りに配置された高反射面で反射する請求項８０に記載の方法。
【請求項９６】
前記イメージングプレートを前記湾曲窓に沿って移動させるステップは、前記イメージングプレートを前記湾曲窓の表面に沿ってスライドさせるステップからなる請求項９１に記載の方法。
【請求項９７】
前記イメージングプレートを前記湾曲窓に沿って移動させるステップは、前記イメージングプレートを前記湾曲窓から離れて配置された湾曲部材と当該湾曲窓との間を移動させるステップからなる請求項９１に記載の方法。
【請求項９８】
前記ＬＥＤの少なくともいくつかの間に配置された前記湾曲窓の領域は、高反射材料で被覆されている請求項９２に記載の方法。
【請求項９９】
前記スキャナで前記イメージングプレート上の画像を走査するステップは、前記イメージングプレートを前記スキャナに隣接して配置された走査領域を通過させる請求項８０に記載の方法。
【請求項１００】
前記スキャナは、貫通するスロットを有する基準プレートを有し、前記スキャナの可動走査ヘッドからの光は前記スロットを通過し、さらに、
前記走査ヘッドを移動させて前記イメージングプレートに記憶された画像を走査し、
前記イメージングプレートを前記基準プレートを横切るようにスライドさせる、
ステップを有する請求項９９に記載の方法。
【請求項１０１】
前記走査ヘッドを移動させて前記イメージングプレートに記憶された画像を走査するステップは、
マルチヘッドスキャナを回転させて、これにより連続操作ヘッドが前記基準プレートの前記スロットを通過するようにする、
ステップを有する請求項９９に記載の方法。
【請求項１０２】
摩擦ベルトローラは前記イメージングプレートを前記基準プレートを横切ってスライドさせる請求項９９に記載の方法。
【請求項１０３】
前記イメージングプレートの一部は、前記イメージングプレートの他の部分を走査すると同時に、消去する請求項８０に記載の方法。
【請求項１０４】
前記摩擦ベルトは前記イメージングプレートを前記参照プレートに対して押圧し、これにより消去光が前記イメージングプレートの未読取り部に達するのを防止する請求項１０２に記載の方法。
【請求項１０５】
前記消去光源は、前記イメージングプレートが走査前に通過している間はオフし、走査後にオンし、これにより走査後だけ前記イメージングプレートの部分を消去する請求項９１に記載の方法。
【請求項１０６】
イメージングプレートの走査と消去を組み合わせたシステムを用いてイメージングプレートを消去する方法において、
（ａ）前記イメージングプレートの走査と消去を組み合わせたシステムに前記イメージングプレートが保管されたイメージングプレートカセットを挿入し、
（ｂ）前記イメージングプレートの走査と消去を組み合わせたシステムに前記イメージングプレートカセットを押し込み、
（ｃ）前記イメージングプレートカセットを開放し、
（ｄ）前記イメージングプレートカセットから前記イメージングプレートを取り出し、
（ｅ）湾曲した消去アセンブリを経てスキャナに隣接する走査領域を通って延びる径路に、前記イメージングプレートを移動させ、
（ｆ）前記イメージングプレートを、前記走査領域を経て前記消去アセンブリを通って戻るように移動させ、
（ｇ）前記ステップ（ｅ）と（ｆ）の両方を実行するときに、前記消去アセンブリで前記イメージングプレートを消去し、
（ｈ）前記イメージングプレートを前記イメージングプレートカセットに戻し、
（ｉ）前記イメージングプレートカセットを閉鎖し、
（ｊ）前記イメージングプレートの走査と消去を組み合わせたシステムから前記イメージングプレートカセットを押し出す、
ステップからなる方法。
【発明の詳細な説明】
【０００１】
関連出願の相互参照
この出願は２０００年５月２日に出願された米国特許出願第６０／２０１３２４号の継続出願でありその優先権の利益を請求し、その内容は参照することでここに組み入れる。
【０００２】
技術分野
本発明はイメージングプレート走査システムおよびイメージングプレート消去システムに関する。一般に、本発明は全ての形態の医療用イメージングプレートに関するが、本発明の特に好ましい利用分野は記憶蛍光イメージングプレートに関する。
【０００３】
発明の背景
記憶蛍光イメージングプレートのようなイメージングプレートは、患者の身体の一部の画像を記憶することができる媒体として、コンピュータＸ線撮影（ＣＲ）の分野で標準になっている。このような蛍光イメージングプレート上の画像はスキャナでイメージングプレートを走査することで引き出される。典型的には、蛍光イメージングプレートは、イメージングプレートの表面に走査レーザビームを通過させ、該レーザビームに応答してイメージングプレートから放射される光を記録することによって走査される。光電子増倍管のような検出器でイメージングプレートの各画素に対応する放射光を記録することにより、そこに記憶された画像を再生することができる（これにより、それをコンピュータターミナルに表示することができる。）。
【０００４】
走査レーザビームを通過させることでイメージングプレートを走査する行為は、本来的に破壊的である（例えば、蛍光画面に記憶されたエネルギーを放出する。）。イメージングプレートに記憶された特定の画像は一度走査（すなわち読取り）されるだけである。イメージングプレートのこのような走査は画像を放出し、これにより画像を消去するが、このような消去は完全ではなく、イメージングプレートは依然として、その走査処理に引き起こされまたは完全には消去されないゴースト画像や線、その他の画像人工物（ａｒｔｉｆａｃｔ）を含んでいる。したがって、再使用してそこに他の画像を記憶する前にイメージングプレートを完全に均等に消去することが必要である。
【０００５】
高画質を保つために、蛍光イメージングプレートは典型的にはイメージングプレートカセット内に収容して光や、埃、指紋、その他の画質低下人工物から保護する。このようなカセットはイメージングプレートに対する保護を提供し、長寿命を保証し、イメージングプレートを何度も再使用することができる。
【０００６】
イメージングプレートを再使用するためには、まずイメージングプレートを走査して消去しなければならない。走査と消去は、イメージングプレートをほぼ同一可視波長光に露光することで、イメージングプレート上の画像を放出する。したがって、走査の前にこのような消去波長光に不注意に露光しないことを保証することが重要である。したがって、イメージングプレートの走査と消去は異なる機器で、または当該機器内の離れた位置で行われている。別個の走査および消去の機器が使用されるとき、イメージングプレートはイメージングプレートカセットに収容されたままそれらの間を手動で搬送される。特に、蛍光イメージングプレートはまずスキャナーで走査され、次に別個の消去機器に手動で搬送され設置される。消去機器はプレートを適当な波長の光の下を通過させ、これによりそこに記憶された全ての画像が放出される。
【０００７】
したがって、カセットからイメージングプレートを取り出し、スキャナで走査し、スキャナから取り出し、カセットに戻し、カセットを消去機器に手動で搬送し、イメージングプレートを消去機器に挿入し、マガジンプレートを消去し、そしてイメージングプレートをさらに使用するためにカセットに戻す必要がないような、イメージングプレートの走査と消去を組合せたシステムを提供することが望ましい。
【０００８】
走査および消去機器の両方に共通する他の問題は、イメージングプレートをカセットから取り出す方法である。ときどき、これは単に手動でなされる（イメージングプレートを手動でスキャナーまたはイレーザに設置する。）。さらに、カセットからイメージングプレートを取り出すのに、真空や、重力、摩擦引抜電動装置を使用する種々のかさばったシステムが使用されてきた。このようなシステムの一つの問題は、イメージングプレートをむしろ乱暴に取り扱う傾向があるということである。これは、カセットを開放してイメージングプレートを機器に単に落とし込む重力システムで特に事実である。
【０００９】
したがって、走査する前にカセットからイメージングプレートをゆっくり自動的に取り出して、該イメージングプレートを消去した後にイメージングプレートをゆっくり自動的に戻すシステムを提供することが望ましい。
【００１０】
既存のイメージングプレートスキャナおよび既存のイメージングプレート消去機器に共通したさらに他の問題は、非常に大きい傾向があるということである。これは、多数のイメージングプレートとイメージングプレートカセットのデザインが既に流通しているという事実により、走査と消去を組み合せた大きなシステムの場合において特に真実である。したがって、製造者は、一緒に操作されるイメージングプレート、カセット、スキャナおよび消去システムを同時に設計して、さらに空間的に一体で効率の良いシステムを提供するよりもむしろ、既存のプレートおよびカセットのデザインを扱うように適合された走査と消去の機器を設計する傾向がある。既存のカセットデザインは特に自動化に適していないので、小さな空間でこれらのイメージングプレート（およびそれらの関連カセット）を取り扱うように設計されていない大きくてかさばった走査および消去システムを必要とする。
【００１１】
さらに、これらの多くの大きな既存のシステムでは、典型的には、消去機構からの光が走査機構に入るのを防止するために走査機構を消去機構から離して配置することが必要である。そのように大きいと、これらの既存のシステムでは残念ながらイメージングプレートを相当な距離だけ移動させなければならない。このような長い移動距離（イメージングプレートをいろいろな位置に移動し配置するのに多くの別個の装置を要する）は、多くの欠点がある。例えば、イメージングプレートを相当な距離移動させる複雑な位置決めシステムは、しばしば位置決め誤差を生じ、画像問題を引き起こし、あるいはシステムを通過させている間にイメージングプレートに詰まり（ｊａｍ）を生じさせる。詰まったイメージングプレートを走査消去システムの深い位置から引き出すことは、欲求不満を生じ、時間を浪費する。
【００１２】
したがって、既存のシステムよりかなり小さく、イメージングプレートを小距離だけ移動させる、イメージングプレートの走査と消去を組み合せたコンパクトなシステムを提供することが特に望ましい。このようなシステムの利点は、その携帯性、空間が節約されるサイズ、減少したシステムの複雑性、増加した容易性と操作速度を含む。
【００１３】
発明の概要
本発明は、イメージングプレートを走査し消去する小さくてコンパクトな組合せシステムを提供する。本発明は、理想的には、記憶蛍光イメージングプレート（イメージング「スクリーン」として知られている）を用いて使用するのに適しているが、これに限定されない。
【００１４】
本システムは、イメージングプレートカセットがまず挿入されるコンパクトなハウジングを有する。ハウジング内にイメージングプレート供給アセンブリが設けられ、イメージングプレートカセットをハウジングに引き込み、（ハウジング内に位置した際に）イメージングプレートカセットを開放し、走査およびその後の消去のためにイメージングプレートをイメージングプレートカセットから取り出すようになっている。
【００１５】
好ましい特徴では、本発明は、イメージングプレートの走査と消去を組み合わせたシステムにおいて、（ａ）ハウジングと、（ｂ）該ハウジングに配置され、（ｉ）イメージングプレートカセットを前記ハウジングに引き込む機構と、（ｉｉ）前記イメージングプレートカセットを開放する機構と、（ｉｉｉ）イメージングプレートを前記イメージングプレートカセットから取り出す機構とからなる、イメージングプレートカセット供給アセンブリと、（ｃ）前記ハウジング内に配置されたスキャナと、（ｄ）前記イメージングプレートカセット供給アセンブリと前記スキャナとの間に配置された湾曲した径路の消去アセンブリと、（ｅ）前記イメージングプレートカセットから前記消去アセンブリを経て前記スキャナに隣接する走査領域を通過する径路において前記イメージングプレートを前後に移動させるイメージングプレート搬送アセンブリと、からなるシステムを提供する。
【００１６】
好ましい特徴では、イメージングプレートカセットの全体は、当該カセットを開放してその中に配置されたイメージングプレートを取り出す前に、本システムのハウジングに完全に引き込まれる。本発明の好ましい特徴の利点は、カセットがハウジングの暗い内部で開放され、これによりイメージングプレートが望まれない光に露光して画像が劣化するのを防止することができることである。
【００１７】
好ましい特徴では、イメージングプレートカセット供給アセンブリは、イメージングプレート供給アセンブリを含む種々の要素からなり、該メージングプレート供給アセンブリは、（ａ）イメージングプレートカセットをハウジングに引き込む機構と、（ｂ）イメージングプレートカセットを開放する機構と、（ｃ）イメージングプレートをカセットから取り出す機構とからなる。イメージングプレートが走査され消去（以下に説明する）された後、これらの機構を逆に動作して、イメージングプレートをカセットに戻し、カセットを閉鎖し、カセットをハウジングから押し出す。このカセット「供給」アセンブリはカセット「供給」アセンブリおよびカセット「排出」アセンブリとして動作するのが有利である。
【００１８】
好ましい特徴では、イメージングプレートカセットは装置のハウジングの側面のスロットから挿入され、これによりカセットの一部がハウジングの中に配置される。次にカセット供給アセンブリが駆動され、カセットをハウジングに引き込む。走査と消去の処理の終わりに、（イメージングプレートを内部に有する）カセットは一部をスロットから突き出して再配置され、これによりオペレータはカセットを掴んでハウジングから完全に引き出すことができる。
【００１９】
好ましい特徴では、イメージングプレートカセットをハウジングに引き込む（およびのイメージングプレートが走査され消去された後に当該イメージングプレートを押し出す）機構は、イメージングプレートカセットを保持する可動シャトルと、ハウジング内でシャトルを前後に移動させるシャトル位置決めアセンブリとからなっている。シャトルがカセットを把持した後にカセットの全体がハウジングに引き込まれるように、シャトルは十分な距離を移動するのが好ましい。
【００２０】
オプションの好ましい特徴では、（シャトルまたはカセットのいずれかまたは両方に）調整ガイドおよび戻止め機構が設けられ、カセットがシャトルに確実に位置決めされ、正確に芯出しされるのを保証している。シャトルの上でカセットを芯出し（センタリング）する利点は、異なるサイズのカセット（各々は異なる標準または非標準サイズのイメージングプレートを含む）を本発明により使用することができることである。実際に、本発明に何ら修正を必要とすることなく、（異なるサイズのイメージングプレートカセットに収容された）異なるサイズのイメージングプレートを連続して走査し消去することができる。さらに、理解できることではあるが、この走査および消去アセンブリ、イメージングプレート搬送システムの各々は、異なるサイズのイメージングプレートを移動するのに適し、イメージングプレートが移動する際に位置誤差がない。
【００２１】
イメージングプレートカセットはほぼ平坦であり板状構造である。好ましい特徴では、本システムに組み込まれるスキャナは低い垂直姿勢（すなわち、短い）であり、イメージングプレートは、前記スキャナの上面を通る平坦な通路において、前記スキャナを覆う基準プレートの上面を横切るようにスライドして移動する。したがって、好ましい特徴では、本発明は、カセットとスキャナが互いに上下に配置されて、非常にコンパクトなデザインを提供する。これは、カセットをスキャナの直上に（または直下に、または並設して）配置することで達成される。好ましい特徴では、本発明で使用されるスキャナは円形回転マルチヘッドスキャナであり、低垂直姿勢で高速走査という利点がある。
【００２２】
このような垂直方向にコンパクトなデザインを有する本発明はさらに、カセットを開放し、該カセットからイメージングプレートを引き出すための新規なシステムを有し、これらの操作は最小の垂直空間で行うことができる。種々の特徴では、カセットをアンラッチ（すなわちアンロック）し、イメージングプレートを引き出すのに十分にその上カバーを開放する新規なシステムが設けられている。好ましい特徴では、これらのシステムは、カセットの上カバーに係止して、シャトルがカセットをシステムハウジング内の最終位置に移動させる際に、上カバーを開放するように寸法が決められた爪を有している。一つの例示的な特徴では、この爪は上方に付勢され、トラックに沿って移動する。
【００２３】
本発明はさらに新規な湾曲した径路の消去アセンブリを有し、該アセンブリはスキャナとカセット供給機構との間に有利に配置されている。好ましい特徴では、消去アセンブリは、イメージングプレートがカセットから取り出されてスキャナに供給される際にイメージングプレートをひっくり返す湾曲構造を有している。
【００２４】
本発明の種々の特徴では、消去アセンブリにおける湾曲構造は、湾曲窓（これに沿ってイメージングプレートがスライドして通過する）、または湾曲部材から一定間隔離れた湾曲窓（これらの間をイメージングプレートが通過する）のいずれかを有する。これにより、本発明は非常にコンパクトな消去アセンブリを提供する。このように湾曲していることで、この消去アセンブリは本発明装置の全体サイズをかなり減少する。特に、イメージングプレートが通過する際に当該イメージングプレートをひっくり返すことで、この湾曲した消去アセンブリは、カセットの装置への供給径路がイメージングプレートがスキャナを横切る径路にほぼ平行になるのを許容する。このようにイメージングプレートが移動する径路を重複させることにより、本発明装置の全長を半分に有効にカットすることができる。重要なことは、本発明の消去アセンブリは、イメージングプレートを消去することと、イメージングプレートをシステムに案内することの両方を行うことである。
【００２５】
種々の特徴において、消去光源（または複数の光源）は蛍光ライト、複数の蛍光ライト若しくはＬＥＤ、または複数のＬＥＤアレイからなり、湾曲窓に隣接して（または僅かに離れて）配置され、消去光を湾曲窓に通過させ、イメージングプレートの表面に向かわせる。このような湾曲窓のデザインの利点は、窓の曲率がイメージングプレートの移動の方向を変更するのに使用される一方、消去光を通過させることである。特に、この消去主ステムの湾曲の性質により、イメージングプレートは、当該イメージングプレートが消去システムに供給される径路に平行な径路において、消去システムから排出される。したがって、非常にコンパクトな消去システムのデザインが達成される。
【００２６】
好ましい特徴では、湾曲窓と該湾曲窓に隣接して配置された湾曲要素の一方または両方は、低摩擦材料から形成された表面を有している。さらに、このような好ましい特徴においては、消去アセンブリの種々の表面は、高反射材料で少なくとも被覆されていてもよく、これにより光の漏れが最小になり、消去処理の全体効率が向上する。特に、これらの種々の好ましい特徴では、高反射面は消去光源に回りに配置され、湾曲窓を通過する消去光を、湾曲窓をスライドするイメージングプレートの表面に向かって反射する。
【００２７】
湾曲窓（および当該湾曲窓に隣接して配置されたオプションの湾曲要素）を低摩擦材料で形成する利点は、イメージングプレートがそれらを横切って用意にスライドすることである。この結果、消去アセンブリの一端にイメージングプレートを供給するシステム（例えばローラ）と、消去アセンブリの他端からイメージングプレートを引き出すシステム（例えば他のローラ）とを設けることだけが必要であるという利点がある。これにより、消去アセンブリそれ自身の中にイメージングプレートを移動させるための搬送機構を設ける必要がない。
【００２８】
（特に、消去アセンブリ内で高反射コーティングを使用するときに）消去アセンブリにおいて蛍光管の光またはＬＥＤの消去光を使用する利点は、消去アセンブリがそこを通過するイメージングプレートの全長に対して短い構造を有することである。換言すれば、何時でもイメージングプレートの一部だけが消去アセンブリに隣接して配置されていればよい。このように、イメージングプレートの「中央帯域」は、イメージングプレートの基端および先端が消去アセンブリから出ると同時に、消去アセンブリを通過することができる。これと対照的に、多くの既存の消去システムは非常に大きくて、イメージングプレート全体が消去「室」内に配置しなければならず、これによりイメージングプレート全体が（当該室内で消去光をオンして）同時に消去されるようになっている。
【００２９】
したがって、消去アセンブリそれ自身内に搬送機構を設けること、すなわち本装置の消去部内にイメージングプレートをまず配置してその後にイメージングプレートを取り除くことは、必要がない。むしろ、本発明に従って、イメージングプレートの移動は消去アセンブリそれ自身の中に搬送機構がなくても制御することができる。なぜなら、イメージングプレートの少なくとも一端が常に消去アセンブリから突出するからである。この突出端は消去アセンブリの供給端であっても排出端であってもローラ等によって容易に掴むことができる。
【００３０】
オプションの好ましい特徴では、本消去システムの消去ライトは湾曲窓の外側の（凸）面の回りに配置することができる。湾曲窓の外面の周りでの消去の（湾曲窓の内面の回りでの消去に比較した）利点は、外面は内面より長く、消去を行うことができる距離を長くすることができることである。また、多数の光源をその回りに配置するための大きな物理的空間が利用できる。
【００３１】
イメージングプレート搬送アセンブリは、イメージングプレートカセットから、消去アセンブリを経て、スキャナにりんせつする走査領域まで延びる径路を前後に移動させるために設けられる。特に、好ましい方法によると、イメージングプレートはそれが停止する位置に達するまで装置に供給され、移動方向が逆転され、スキャナのそばを通過し、消去アセンブリを通過する。このように、この方法は、厳密に言えば、イメージングプレートが完全に装置に移動し、停止し、そして連続的に走査され、引き出される間に消去されることを提供する。しかしながら、本発明は、イメージングプレートがその移動方向が逆転される（これにより挿入中に走査され、停止し、装置から引き出される間に消去される）前に走査される分野も包含するものと理解されるべきである。
【００３２】
好ましい特徴では、スキャナはマルチヘッドスキャナからなり、さらに好ましくは回転マルチヘッドスキャナ、最も好ましくは回転３ヘッドスキャナからなる。しかしながら、本走査システムはこれに限定されるものではないことが理解されるべきである。
【００３３】
本発明の一つの好ましい特徴では、スキャナは基準プレートで覆われ、イメージングプレートは基準プレートを横切ってスライドする（基準プレートに沿って走査領域を通過する）。好ましくは、イメージングプレートは、イメージングプレートを基準プレートに対して強固に位置決めするベルトローラまたはその他の装置によって、この基準プレートの表面を横切って移動される。好ましい特徴では、ベルトの中央部（ベルトを支持する２つのローラの間）は基準プレートに対して直接付勢される。
【００３４】
好ましい特徴では、基準プレートはそれを貫通するスロットを有し、このスロットに沿ってスキャナの走査ヘッドが移動し、これにより走査ヘッドがスロットに沿って移動するにつれ、走査ヘッドからの光はイメージングプレートを横切るように導かれる。最も好ましい特徴では、回転スキャナが使用される。したがって、これらの好ましい特徴では、基準プレートのスロットも湾曲している。
【００３５】
このシステムの利点は、スキャナを覆う基準プレートに対してイメージングプレートを強固に位置決めすることによって、イメージングプレートが実際に操作される走査領域において非常に良好な遮光シールが維持されることである。この領域で非常に良好な遮光シールを維持することの重要な利点は、本発明の消去部と走査部の間に光フィルタが必要でないことである。これにより、消去アセンブリは消去アセンブリに非常に接近して配置することができる。
【００３６】
スキャナを覆う基準プレートを横切ってイメージングプレートをスライドして移動させるこの新規なシステムのさらなる特徴は、イメージングプレートがその下を横切って通過する走査ヘッドから既知の（小）距離に維持されることである。このイメージングプレートと走査ヘッドの間の離隔距離は、（イメージングプレートがスキャナの基準プレートを横切って移動する際、および走査ヘッドが回転して走査ビームがイメージングプレートの表面を横切って通過する際の両方において）一定のままであるので、走査ヘッドからのレーザビームをイメージングプレート上の小スポットに有利に集束することができる（これにより、イメージングプレートに一定のレーザスポットサイズを達成することができる）。この利点は、不均一なスポットサイズにより（スクリーンの）最終画像上で望まれない人工画像となるようなイメージングプレート上の画像を読み取る時に特に有益である。この好ましい走査システムのさらなる利益は、スキャナの操作ヘッドがイメージングプレートを横切って通過する際に、イメージングプレートに対する走査レーザビームの角度が一定になることである。
【００３７】
このシステムにより、イメージングプレートの走査と消去を組み合わせたシステムを用いてイメージングプレートを走査し消去する方法が提供される。この方法は、（ａ）前記イメージングプレートの走査と消去を組み合わせたシステムに前記イメージングプレートが保管されたイメージングプレートカセットを挿入し、（ｂ）前記イメージングプレートの走査と消去を組み合わせたシステムに前記イメージングプレートカセットを押し込み、（ｃ）前記イメージングプレートカセットを開放し、（ｄ）前記イメージングプレートカセットから前記イメージングプレートを取り出し、（ｅ）湾曲した消去アセンブリを経てスキャナに隣接する走査領域を通って延びる径路に、前記イメージングプレートを移動させ、（ｆ）前記スキャナで前記イメージングプレート上の画像を走査し、（ｇ）前記イメージングプレートを、前記走査領域を経て前記消去アセンブリを通って戻るように移動させ、（ｈ）前記消去アセンブリで前記イメージングプレートを消去し、（ｉ）前記イメージングプレートを前記イメージングプレートカセットに戻し、（ｊ）前記イメージングプレートカセットを閉鎖し、（ｋ）前記イメージングプレートの走査と消去を組み合わせたシステムから前記イメージングプレートカセットを押し出す、ステップからなることが好ましい。
【００３８】
好ましい特徴では、イメージングプレートは（好ましくはカセットの少なくとも一部がシステムのハウジング内に引き込まれた後）カセットから取り出される。その後、イメージングプレートはまず消去アセンブリを通過して移動され、スキャナを少なくとも部分的に通過する。（特に、イメージングプレートはスキャナを覆う基準プレートに隣接する走査領域を通過するのが好ましい）。
【００３９】
最も好ましい特徴では、イメージングプレートは一定距離移動され、これによりその先端が走査領域を横切って（さらにスキャナを横切って）完全に通過し、スキャナの先端側の排出領域に配置される。その後、イメージングプレートは反対方向に移動され、スキャナを覆う基準プレートの表面を横切って逆に移動し、走査領域を通過し、そのときに走査される。スキャナを横切って通過した後、イメージングプレートは消去アセンブリを通って逆に移動し、そのときに如何なる残留画像も人工画像もこの消去システムにより消去される（消去システムはそのときだけオンされる）。
【００４０】
追加の消去オンリー動作モードでは、このシステムはイメージングプレートを最初に読み取ることなく消去するのに使用することができる。これは、長期間アイドル運転であったとき、イメージングプレートを露光する前の標準の推奨される実施である。このような場合、プレートは宇宙線を含むバックグラウンド放射線による人工ノイズを拾うことができる。このモードでは、供給方向と排出方向のイメージングプレート運動の間、消去光を連続的に照射することができる。これは消去サイクルを完了するのに要求される時間を左図かに減少する利益を有する。
【００４１】
マルチヘッドロータリスキャナが使用される（そして連続走査ヘッドがスキャナを覆う基準プレートの湾曲したスロットに沿って通過する）本発明の好ましい特徴では、イメージングプレートはまず、その基端側の縁が基準プレートの湾曲スロットを完全に通過するような位置に前進する。この位置では、イメージングプレートの先端部は出力領域内に受け入れられる一方、イメージングプレートの一部はスキャナの上に位置したままである。既に説明したように、このデザインの利点は、出力領域はイメージングプレートほど長くする必要がないことである。好ましい特徴では、出力領域はそれ自身スキャナの前で下方に湾曲し、このデザインにおける空間をさらに節約している。
【００４２】
単一の摩擦ベルトを使用してイメージングプレートをスキャナを覆う基準プレートの表面上をスライドさせる利点は、これによりマルチ駆動要素の場合に生じる速度変化や受け渡し誤差により引き起こされる人工画像が回避されることである。
【００４３】
湾曲部材から一定間隔離れた湾曲窓を有するこの湾曲した経路の消去システムのさらなる利点は、これらの湾曲要素の各々がシステムの別個の要素に取り付けられ、これにより本装置が開放されたときに消去アセンブリのこれらの２つの部分が離れて移動し、それらの間で詰まったイメージングプレートに簡単にアクセスすることができる。
【００４４】
このシステムのさらなる利点は、スキャナと消去アセンブリを十分接近して配置することができ、これによりイメージングプレートの他の部分が走査される際に、イメージングプレートの部分を同時に消去することができることである。
【００４５】
非常にコンパクトであるので、この装置は、持ち運びができ、病院や実験室のセッティングで室から室に移動することができる。これと対照的に、全ての既存のシステムは床据え付け装置であり、典型的には大きな冷蔵庫のサイズである。
【００４６】
図１から図５は、好ましい実施形態による本発明の装置を操作する連続したステップを示す。以下に説明するように、図１から５に示すステップは、連続して実行され、走査前にイメージングプレートを位置決めし、イメージングプレートを走査し消去する際に逆転する（しかしながら、オプションとして、イメージングプレートを図４の位置から図５の位置に移動させる間に走査してもよい。）。
【００４７】
好ましい実施形態の詳細な説明
（ａ）主なシステム要素および好ましい操作方法
本発明は、非常に小さな空間を占める単一の装置内でイメージングプレートを有利に操作し消去する、イメージングプレートの操作と消去を組み合わせたシステムを提供する。
【００４８】
図１から図５は、好ましい方法にしたがって本発明装置を動作させる連続したステップを示す。
【００４９】
まず図１を参照すると、ハウジング１１を有するイメージングプレートの操作と消去を組み合わせたシステム１０が設けられている。イメージングプレートを走査し、該イメージングプレートを消去するする前に（すなわちそこに記憶された画像を読み取る前に）イメージングプレートカセット２０を保持する人間のオペレータの手Ｈが示されている。ハウジング１１はオペレータがカセット２０を挿入するスロット１２を有している。
【００５０】
図２に示すように、カセット２０は、該カセット２０の少なくとも一部がハウジング１１内に位置するように、オペレータにより配置されるのが好ましい。以下にさらに詳細に説明するように、カセット２０を掴みまたは保持する可動シャトル３０が配置されている。
【００５１】
シャトル位置決めアセンブリ３１は、シャトル３０（およびそこに保持されたカセット２０）を図３に示す位置に移動させる。このとき、ドア１３はハウジング１１のスロット１２を閉鎖し、これにより光がハウジング１１の内部に進入するのが防止される。シャトル３０とシャトル位置決めアセンブリ３１は、カセット２０をハウジング１１に引き込む機構を有している。
【００５２】
図４に示すように、シャトル３０がカセットをハウジング１１内の最終位置に移動させたとき、カセット２０の上カバー２１が開放される。このように、カセット２０の上カバー２１は最終開放位置にある。（カセット２０の上カバー２１を開放する好ましい機構のさらなる詳細は以下に説明する図１６と図１７に示されている。）カセット２０からイメージングプレート４０を取り出す機構がさらに設けられている。これに関して、カセット２０からイメージングプレート４０を引き出すために把持ローラ３２が設けられ、またイメージングプレート４０が消去アセンブリ５０を通過して前進することができるように当該イメージングプレート４０を移動させるために、一対のピンチローラ３４が設けられている。
【００５３】
図５に示すように、イメージングプレート４０は、消去アセンブリ５０を通過し、摩擦ベルトローラ６０によって掴み取られ、スキャナ７０を覆う基準プレート７１を横切ってスライドする。摩擦ベルトローラ６０は、イメージングプレート２０を最終位置に移動させ、該最終位置ではイメージングプレート４０の先端が湾曲した排出領域８０内に位置する。排出位置８０はオプションとして一対のガイド８１と８２からなっていてもよい。
【００５４】
イメージングプレート４０が図５に示すように位置決めされると、該イメージングプレートはその搬送方向を逆転することで走査される（すなわち、イメージングプレート４０をスキャナ７０の表面、さらに好ましくはスキャナー７０を覆う基準プレート７１の表面を横切るように逆行させる）。その後、イメージングプレート４０は消去アセンブリ５０を通って逆に移動され、消去アセンブリはイメージングプレート４０内のいかなる潜像も、また画像人工物（ｉｍａｇｅ  ａｒｔｉｆａｃｔｓ）を有利に消去する。
【００５５】
イメージングプレート４０は、最初にスキャナ７０を先端側に向かって横切って通過する際に、当該スキャナ７０によって走査されることを理解すべきである。しかしながら、さらに好ましい特徴では、イメージングプレート４０は、当該イメージングプレートが完全に先端側にシステムに前進し（すなわち、少なくとも部分的に排出領域８０に進入し）、停止して、走査時にカセット２０に向かって逆に戻りするようにその進行方向が逆転された後、スキャナ７０によって走査される。
【００５６】
図に示すように、カセット２０はハウジング１１に受け取られ、スキャナ７０の直上に配置される。代案としてハウジング１１はスキャナ７０の直下に配置することができることを理解すべきである。
【００５７】
図から分かるように、カセット２０がハウジング１１内で前後に移動する通路は、イメージングプレート４０がスキャナー７０を横切って移動する通路に平行であるのが好ましい。消去アセンブリ５０は、湾曲しているので、小空間内でイメージングプレート４０を（裏返すことで）ひっくり返すことができ、ハウジング１１のサイズを最小にすることができる。
【００５８】
図から分かるように、装置１０は、イメージングプレート４０の一部がスキャナ７０を横切って通過すると同時に、イメージングプレート４０の他の部分が湾曲した消去アセンブリ５０を通過することができるように十分に小さい。
【００５９】
（ｂ）消去アセンブリ
消去アセンブリ５０の種々の好ましい実施形態のさらなる詳細が図６Ａから図８に示されている。好ましい特徴では、消去アセンブリ５０は、湾曲した窓５１を有している。この湾曲した窓５１に対してイメージングプレート２０を（図１から５に連続して示すように）スライドさせることで、イメージングプレート４０は、カセット２０に設置された方位（ｏｒｉｅｎｔａｔｉｏｎ）からスキャナ７０に差し出される方位までひっくり返される。
【００６０】
消去アセンブリ５０を通過するイメージングプレート４０をさらにガイドするために、湾曲部材５２を湾曲窓５１に隣接して配置して、これによりイメージングプレートがそれらの間を通過する狭い通路を設けてもよい。好ましい特徴では、湾曲窓５１と湾曲部材５２の間の間隔は、０．１００から０．１５０インチのオーダー（すなわち、イメージングプレート４０がそれらの間を通過するのに十分な広さ）であってもよい。
【００６１】
オプションの特徴では、湾曲部材５２の表面５５は、（その上をイメージングプレート４０が容易にスライドするように）低摩擦材料によって被覆し、あるいはその低摩擦材料で形成することができる。好ましい特徴では、この低摩擦材料は、アクリル樹脂、ポリカーボネート、ガラス、亜鉛コート鋼鈑、テフロン含浸無電解ニッケルからなる群から選ばれてもよい。
【００６２】
他のオプションの特徴では、湾曲部材５２の表面５５は、（少なくとも一つの消去光源と対向する窓の側に配置された）高反射受け面（ｈｉｇｈｌｙ  ｒｅｆｌｅｃｔｉｖｅ  ｂａｃｋｉｎｇ  ｓｕｒｆａｃｅ）で被覆し、あるいはその高反射受け面から形成してもよい。したがって、イメージングプレート４０が窓５１によって露光される領域の一部を占有するとき、窓５１によって露光される領域の残りは高反射受け面５５の幾つかの部分を露出する。
【００６３】
さらに、窓５１は、アクリル樹脂、ポリカーボネートまたはガラスを含むがこれらに限定されない低摩擦材料から形成してもよい（またはその低摩擦材料で被覆してもよい）。
【００６４】
湾曲窓５１はその回りに配置された１または複数の消去ライト５３を有している。任意の形態の消去ライトが考えられる。好ましい特徴では、ライト５３は（図７に示すように、湾曲窓５１の周囲に一定間隔で配置された）ＬＥＤのアレイからなっていてもよい。代案の好ましい特徴では、ライト５３は５１や５９の形状に一致するように形成された単一の板の上に装着されてもよい。例えば、対応する湾曲形状に屈曲することができるフレキシブル回路基板を使用する。
【００６５】
さらに、図６Ａに示すように、窓５１の外面５７の全てまたは一部（すなわち、連続するライト５３の間の幾つかまたは全て）は、よく反射する高反射材料により被覆され、あるいは当該材料から形成されていてもよい。この高反射コーティングは、イメージングプレート４０の表面を反射して離れる（ライト５３から放射された）消去光がイメージングプレート４０の表面に向かって再指向されるのを保証する。高反射表面５７を保証することは、光が湾曲窓５１を通って前後に反射し、消去効率を増加するのを保証する。窓５１の外面５７の高反射部は、消去ライトのアレイの間、アレイ内の個々の消去光の間、またはそれら両方に配置してもよい。
【００６６】
代案として、図６Ｂに示すように、（窓５１からさらに離れて配置された）複数の消去ライト５４を代わりに使用してもよい。消去ランプ５４は蛍光管からなっているのが好ましいが、任意の消去ランプ（ガス充填ランプ、Ｎａランプ、Ｎｅランプ、金属ハロゲンランプおよびＸｅランプを含むがこれらに限定されるものではない）を使用してもよい。蛍光消去ライト５４は、図７のライト５３に類似する湾曲窓５１の外周に一定間隔で配置してもよい。この場合、高反射面５８はライト５４の回りに配置されるのが好ましい。好ましい特徴では、蛍光消去ライト５４は蛍光管の径の少なくとも１．２倍だけ離れていて、これにより蛍光管の裏側からの光がイメージングプレート４０に到達することができる。
【００６７】
消去ライト５３または５４は、このように、消去光を窓５１２を通過するように導くように配置されている。イメージングプレート２０が通過する窓５１の反対側に配置することで、ライト５３はオプションとして、イメージングプレート４０がスライドする際の運動を干渉することなく、イメージングプレート４０に非常に接近して配置することができる。
【００６８】
表面５７または５８で使用される高反射材料は、好ましい特徴では、ミラー、白色ペイント、白色シルクスクリーン、または白色若しくはアルミニウムを被覆したプラスチックであってもよい。しかしながら、任意の適切な高反射材料も本発明の範囲内に入ることが企図されている。
【００６９】
ライト５４により消去光が発生する場合、湾曲窓５１の表面５７は、好ましくはワンウェイミラーで被覆されるか、いかなる反射コーティングでも被覆されないことが理解されるべきである。（これにより、表面５７は消去光をライト５４に向かって後ろに反射しないが、その代わり湾曲窓５１を通って光をイメージングプレート４０の表面に向かって導く。）
【００７０】
好ましい特徴では、消去ライト５３（ＬＥＤからなっていてもよい）または５４（冷陰極または熱陰極蛍光管を含む蛍光管からなっていてもよい）は、広いスペクトルの白色可視光を放出してイメージングプレート４０を消去することが好ましい。
【００７１】
図６Ｂに示すように、断熱材（ｔｈｅｒｍａｌ  ｂｌａｎｋｅｔ）５９を表面５８を有する要素の回りに巻き付けてもよいし、および／または加熱要素５６をオプションで設けて蛍光管５４を保温し、これにより所望の強度に迅速にオンしてイメージングプレート４０を消去してもよい。ライト５４は、イメージングプレート４０が最初に走査の前に消去アセンブリ５０を通って前進するときには、オフしておかなければならない。
【００７２】
消去アセンブリ５０のさらなるオプションの特徴は図８に示され、各ライト５３は、ＬＥＤのアレイからなっている。このオプションの特徴では、貫通する複数の穴を有する部材４９が窓５１とライト５３のアレイとの間に配置されている。窓５１に対向して配置されている部材５６の表面は高反射材料で形成され、部材５６を通過する個々の穴がライトアレイ５３の個々の光源に一致しているのが好ましい。したがって、ライトアレイ３５の個々のライトの間は高反射し、これによりイメージングプレート４０の表面を反射して離れた光は再びそこで反射する。
【００７３】
消去アセンブリ５０Ａのさらに他の代案の実施形態では、図６Ｃに示すように、少なくとも１つの消去ライト１２１をその中に有する透光性ドラム１２０がイメージングプレート４０を消去するのに使用される。オプションとして、透光性ドラム１２０はイメージングプレート４０を消去アセンブリ５０Ａに引っ張り込むように回転させてもよい。
【００７４】
この消去アセンブリは、湾曲した消去アセンブリの湾曲の内側で消去が行われるように修正することができることを理解されるべきである。一つの実施例が図６Ｄに示され、そこではイメージングプレートが窓５１と湾曲部材５２の間を通過する際に消去ライト５４がイメージングプレート４０を消去する。
【００７５】
図６Ｃと６Ｄに示す実施形態では、イメージングプレート４０の上下方向は、図６Ａ，６Ｂ，７および８と逆になっている。この場合、スキャナアセンブリの方向は逆になっていることが好ましい。（すなわち、図６Ｃおよび６Ｄに示す実施形態では、スキャナ７０の下をイメージングプレート４０が通過し、スキャナ７０が図１から５に示す方向からひっくり返ることが好ましい。）
【００７６】
（ｃ）カセット供給機構
シャトル３０のさらなる詳細が図９に示されている。シャトル３０はカセット２０に確実に係合しまたはカセット２０を掴むように構成されている。好ましい特徴では、シャトル３０は、カセット２０がその上で芯出しされるのを保証する１または複数の調整ガイドを有している。一つの好ましい特徴では、高架止め部（ｅｌｅｖａｔｅｄ  ｃｌｅａｔ）３２が設けられている。１または複数の戻止め（ｄｅｔｅｎｔ）ローラ３３が設けられてもよい。シャトル３０の移動はＤ１方向に進退し、シャトル位置決めアセンブリ３１（これはオプションとしてウォームギアからなっていてもよい）によって制御される。
【００７７】
図１０に示すように、カセット２０は最初にＤ１方向に移動するが、シャトル３０は固定状態を維持する。（これはオペレータが最初にカセット２０をスロット１２に手動で設置したときに生じる。）（図１参照。）カセット２０は、高架止め部３２と一致する中央スロット２２を有しているのが好ましく、これによりカセット２０はシャトル３０に確実に芯出しされる。さらに、カセット２０は落ち込み可能なローラ３３と一致する一対の凹部（不図示）を下側に有していてもよい。特に、各落ち込み可能なローラ３３はＤ２方向に上下に移動するようにばねで付勢されているのが好ましい。したがって、カセット２０がシャトル３０の表面を横切るように摺動すると、落ち込み可能なローラ３３は（カセット２０の下側によって）シャトル３０の本体内に押し下げられる。カセット２０が図１１に示す位置に到達すると、シャトルの後端から上方に突出するオプションの逆転防止部（ｂａｃｋｓｔｏｐ）３４がカセット２０の前端２３と当接する。カセット２０がこの最終位置に到達すると、落ち込み可能なローラ３３は、カセット２０の下側の凹部（不図示）に係合し、カセット２０をシャトル３０上で固定（および芯出し）状態に保持する。オプションの好ましい特徴では、カセットがその最終位置に到達した（すなわち、ハウジング１１に完全に受け入れられた）とき、シャトル上の適所にカセットを固定するように、フックが配備される。
【００７８】
オプションの好ましい特徴では、異なるサイズのカセットは同じ位置で調整／戻止め機構と係合する先端面および底面が形成されているのが有利であり、これにより異なるサイズのカセット２０をシャトル３０上の当該調整／戻止め機構によって掴むことができる。
【００７９】
好ましい特徴では、カセット２０は、高架止め部３２が中央スロット２２に受け入れられたときに、カセットを開放させるロックラッチ２１０（図２０）を解放するように形成してもよい。好ましい実施形態では、これらのラッチの駆動機構２１１はそれらの旋回点２１２の回りに平衡しており、これにより高架止め部３２はスライド機構２１４を押圧し、該スライド機構をＤ方向に移動させて、駆動機構２１１をＲ方向に回転させ、ラッチ２１２を解除し、カセット２０を解放する（これにより上カバー２１が解放される）。旋回点２１２は駆動機構２１１の重心に配置されることが有利であり、これにより落下したとき等のカセットへの衝撃によりラッチが解放されることがない。
【００８０】
カセット２０の上カバー２１を開放するオプションのシステムのさらなる詳細が図１６および図１７の連続操作図に示されている。図１６は、ハウジング１１に部分的に受け入れられた位置にあるカセット２０／シャトル３０アセンブリの図を示している。爪１００は一対のスロット１０１（これらは破線で示すように、カセット２０／シャトル３０アセンブリのいずれかの側に配置することが好ましい）に沿ってスライド移動可能である。スプリング１０２が固定点１０３（好ましくはハウジング１１上）に接続されている。シャトル３０がその最終位置（図１７）に向かってＤ１方向に移動するにつれて、爪１０１は上カバー２１に係合し、上方に引っ張り、これによりカセットの上カバー２１を開放する。さらに、スプリング１０２は、カセット２０が挿入される方向に対向する方向への付勢を維持し、これにより爪１０００と上カバー２１の間に接触部に一定圧力を維持し、これによりカセット２０がシャトル３０とともに移動する際に爪１００は上カバー２１から外れることはない。本発明はカセット２０の底カバーが代わりに開放されるこれに匹敵するシステムからなっていてもよいことが理解されるべきである。
【００８１】
（ｄ）スキャナ／イメージングプレート搬送システムおよび排出領域
図５に示すように、イメージングプレート４０は摩擦ベルトローラ６０によりスキャナアセンブリ７０の基準プレート７１の表面を横切るように配置される。本発明のこの特徴のさらに好ましい詳細は、図１２から図１５に以下のように示されている。
【００８２】
図１２は、本システムの分解斜視図である。スキャナアセンブリ７０は複数の走査ヘッド７３を有するマルチヘッドロータリスキャナ７２からなっているが、単一ヘッドスキャナおよび（回転走査径路の回りに移動するのとは対照的に）真直走査径路を前後に走査するスキャナが代わりに使用されてもよく、これらは全て本発明の範囲内にある。また、好ましい特徴では、このロータリスキャナは３つの（互いに１２０°離れた）走査ヘッド７３を有するが、他の数の走査ヘッドを有するシステムも本発明に従って企図される。
【００８３】
図１２から１４に見られるように、基準プレート７１は貫通するスロット７４を有するのが好ましい。湾曲スロット７４は連続走査ヘッド７３の径路の直上に配置されている。したがって、各連続走査ヘッド７３はスロット７４に沿って通過する際に、イメージングプレート４０の面を横切って湾曲線上を走査する。スロット７４は、３つの走査ヘッド７３のうち１つだけが一度にその下を通過するような長さを有するように形成されるのが好ましい。
【００８４】
基準プレート７１は低摩擦材料で形成されているのが好ましい。適切な例は、アクリル樹脂、ガラスまたは被覆アルミニウムを含むが、如何なる適切な材料も企図されている。
【００８５】
図１３に示すように、（一対のローラ６１の回りに掛けられた）摩擦ベルトローラ６０の一部は、加圧プレート６５により基準プレート７１に向かって下方に付勢することができる。好ましい特徴では、加圧プレート６５は、固定体または表面６６から離れて（スプリング、油圧等により）押圧することができるほぼ平坦な底面を有する要素からなり、これにより加圧プレート６５は、ローラ６１の回転によりイメージングプレート６１がスロット７４の上を（いずれかの方向に）通過する際に、イメージングプレート４０を基準プレート７１に対して固く保持する。したがって、スキャナ７０とイメージングプレート４０の間で遮光（ｌｉｇｈｔ−ｔｉｇｈｔ）シールが維持される（これにより、消去アセンブリ５０からの誤った光が「走査領域」（すなわち、イメージングプレート４０が実際に走査されるスロット７４の位置）に達するのが防止される）。走査ヘッド７３Ａから放射される走査レーザビーム７９が図示されている。
【００８６】
図１４は、（スキャナ７０が回転するにつれて走査ヘッド７３Ａ，７３Ｂ，７３Ｃが連続して通過するスロット７４を有する）基準プレート７１の上面図を示す。
【００８７】
図１５は、走査開始前に、イメージングプレート４０に占有された位置を示す。前述したように、連続した走査ヘッド７３は湾曲溝７４に位置してそれに沿って移動し、これによりイメージングプレート４０の（底に対向する）面を横切って走査する。走査前にその基端４２がスロット７４の先端に配置されるような距離だけイメージングプレート４０を最初に移動させることが必要であることは当然である。
【００８８】
したがって、任意の特定のイメージングプレートの幅はイメージングプレートが走査を開始する前（そのとき、イメージングプレート４０はスキャナを横切ってＤ３方向に移動する）に配置される位置を決定する。特に、幅広いイメージングプレートが使用される場合、それはスキャナの面のむしろ後方（すなわち、消去アセンブリ５０からさらに離れた位置）に配置する必要がある。逆に、（破線で示すプレート４０Ａのような）幅狭のイメージングプレートが使用されるとき、走査開始時にスキャナの面上のさらに前方（すなわち、消去アセンブリ５０により接近した位置）に配置してもよい。これにより、（より大きなサイズの）イメージングプレート４０の（より大きなサイズの）部分４３は排出領域８０（図５）内に受け入れられるのに対し、（より大きなサイズの）イメージングプレート４０Ａの（より大きなサイズの）部分４３Ａは排出領域８０（図５）内に受け入れられる。
【００８９】
したがって、走査の開始前にイメージングプレート４０の一部によって占められる排出領域８０の全長は、本システムによって走査され消去されるイメージングプレート４０のサイズに依存する。しかしながら、使用されるイメージングプレート４０のサイズにかかわらず、本発明のシステムの利点は、湾曲した排出領域８０がイメージングプレートの長さを超える必要がないことである（イメージングプレートの基端４２がスロット７４の背後に配置されている限り、イメージングプレートの位置は基準プレート７１の上面に位置したまま残っているからである）。
【００９０】
代案として、図１９に示すように、連続した摩擦ベルト１５０を複数のローラ１５１Ａ，１５１Ｂ，１５１Ｃの回りに掛けることができ、これにより当該ベルト１５０は、イメージングプレート４０を湾曲した消去アセンブリ５０を通過させ、またスキャナ７０を通過させるのに使用することができる。
【００９１】
（ｅ）帯電防止カセットの検討
最後に、図１８はカセット２０に組み込まれる帯電防止システムの拡大断面図を示す。特に、イメージングプレート４０がカセット２０から取り出され、およびカセット２０に挿入される際に、静電気が生じる傾向がある。
【００９２】
本発明によれば、繊維ライナ（ｆａｂｒｉｃ  ｌｉｎｅｒ）２００を、カセットの外部接点（例えば、電子回路２０４）に接地された導電性プラスチック２０２と接触するように配置してもよい。カセット電子回路２０４はハウジング１１に接地するのが好ましく、これにより発生した静電気エネルギは、カセット２０がハウジング１１に位置する毎に消失する。アセンブリを互いに保持するテープ層２０６を用いて、標準的なリード層２０５を繊維ライナ２００の下に配置するのが好ましい。
【００９３】
代案の好ましい実施形態では、内部導電性繊維ライナ２００が電気的にカセットの外部接点に接続され、そこでシステム１０のハウジング１１上の接地点と接触することができる。
【図面の簡単な説明】
【図１】オペレータがイメージングプレートカセットを挿入した本発明装置の概略側面図。
【図２】オペレータがイメージングプレートカセットを本発明装置に挿入した後の図１に対応する概略側面図。
【図３】スキャナの上に配置されたカセットを示す、シャトルを移動させてカセットを装置に押し込んだ後の図２に対応する図。
【図４】カセットから取り出され、消去アセンブリを通過するイメージングプレートを示す、イメージカセットを開放した後の図３に対応する図。
【図５】イメージングプレートの先端がスキャナの先端側の湾曲した排出領域内にあるようにイメージングプレートを配置した、図４に対応する図。
【図６Ａ】本発明装置の消去アセンブリの１つの実施形態の概略側面図。
【図６Ｂ】本発明装置の消去アセンブリの他の実施形態の概略側面図。
【図６Ｃ】本発明装置の消去アセンブリのさらに他の実施形態の概略側面図。
【図６Ｄ】本発明装置の消去アセンブリのさらに他の実施形態の概略側面図。
【図７】図６Ａに対応する斜視図。
【図８】消去アセンブリのオプションの好ましい特徴の分解図。
【図９】イメージングカセットを装置のハウジング内に移動させるためのシャトルの斜視図。
【図１０】シャトルの先端に近づくイメージングプレートカセットの図。
【図１１】シャトルと連動するイメージングプレートカセットの図。
【図１２】基準プレートとその上の摩擦ローラベルトを備えたスキャナの分解斜視図。
【図１３】走査されるイメージングプレートの側面断面図。
【図１４】スキャナの上面図。
【図１５】走査開始前のイメージングプレートの位置を示す、スキャナと消去アセンブリの上面図である。
【図１６】（カセットを開放する前の）カセットの上カバーを開放するための機構の概略側面図。
【図１７】（カセットを開放する後の）カセットの上カバーを開放するための機構の概略側面図。
【図１８】（イメージングプレートを載置した）好ましいイメージングプレートカセットの縁の側面断面図。
【図１９】イメージングプレートを前後に移動させ、消去アセンブリを経てスキャナを通過させる、単一の連続ベルトを有するシステムの概略側面図。
【図２０】イメージングプレートカセットのラッチシステムの概略図。
【符号の説明】
１１  ハウジング
２０  イメージングプレートカセット
３０  シャトル（イメージングプレートカセット供給アセンブリ）
４０  イメージングプレート
５０  消去アセンブリ
６０  摩擦ベルトローラ（イメージングプレート搬送アセンブリ）
７０  スキャナ
【国際公開パンフレット】
2004501392.tif 000003
2004501392.tif 000004
2004501392.tif 000005
2004501392.tif 000006
2004501392.tif 000007
2004501392.tif 000008
2004501392.tif 000009
2004501392.tif 000010
2004501392.tif 000011
2004501392.tif 000012
2004501392.tif 000013
2004501392.tif 000014
2004501392.tif 000015
2004501392.tif 000016
2004501392.tif 000017
2004501392.tif 000018
2004501392.tif 000019
2004501392.tif 000020
2004501392.tif 000021
2004501392.tif 000022
2004501392.tif 000023
2004501392.tif 000024
2004501392.tif 000025
2004501392.tif 000026
2004501392.tif 000027
2004501392.tif 000028
2004501392.tif 000029
2004501392.tif 000030
2004501392.tif 000031
2004501392.tif 000032
2004501392.tif 000033
2004501392.tif 000034
2004501392.tif 000035
2004501392.tif 000036
2004501392.tif 000037
2004501392.tif 000038
2004501392.tif 000039
2004501392.tif 000040
2004501392.tif 000041
2004501392.tif 000042
2004501392.tif 000043
2004501392.tif 000044
2004501392.tif 000045
2004501392.tif 000046
2004501392.tif 000047
2004501392.tif 000048
2004501392.tif 000049
2004501392.tif 000050
2004501392.tif 000051
2004501392.tif 000052
2004501392.tif 000053
2004501392.tif 000054
2004501392.tif 000055
2004501392.tif 000056
2004501392.tif 000057
2004501392.tif 000058
2004501392.tif 000059
2004501392.tif 000060
【国際公開パンフレット（コレクトバージョン）】
2004501392.tif 000061
2004501392.tif 000062
2004501392.tif 000063
2004501392.tif 000064
2004501392.tif 000065
2004501392.tif 000066
2004501392.tif 000067
2004501392.tif 000068
2004501392.tif 000069
2004501392.tif 000070
2004501392.tif 000071
2004501392.tif 000072
2004501392.tif 000073
2004501392.tif 000074
2004501392.tif 000075
2004501392.tif 000076
2004501392.tif 000077
2004501392.tif 000078
2004501392.tif 000079
2004501392.tif 000080
2004501392.tif 000081
2004501392.tif 000082
2004501392.tif 000083
2004501392.tif 000084
2004501392.tif 000085
2004501392.tif 000086
2004501392.tif 000087
2004501392.tif 000088
2004501392.tif 000089
2004501392.tif 000090
2004501392.tif 000091
2004501392.tif 000092
2004501392.tif 000093
2004501392.tif 000094
2004501392.tif 000095
2004501392.tif 000096
2004501392.tif 000097
2004501392.tif 000098
2004501392.tif 000099
2004501392.tif 000100
2004501392.tif 000101
2004501392.tif 000102
2004501392.tif 000103
2004501392.tif 000104
2004501392.tif 000105
2004501392.tif 000106
2004501392.tif 000107
2004501392.tif 000108
2004501392.tif 000109
2004501392.tif 000110
2004501392.tif 000111
2004501392.tif 000112
2004501392.tif 000113
2004501392.tif 000114
2004501392.tif 000115
2004501392.tif 000116
2004501392.tif 000117
2004501392.tif 000118
【国際調査報告】
2004501392.tif 000119